(57)【特許請求の範囲】
【請求項１】
測距光を射出する測距発光部と、反射測距光の受光結果に基づき測距を行う測距部と、前記測距光と既知の関係でレーザポインタ光を照射するポインタ光発光部と、前記測距光の射出方向を検出する測角部と、前記測距発光部、前記測距部、前記ポインタ光発光部を含み水平方向、鉛直方向に回転可能な望遠鏡部、該望遠鏡部を回転させる回転駆動部と、既知の座標系を有する図面データが格納された記憶部を有する制御演算部とを具備し、該制御演算部は、前記測距光を所要の範囲で回転照射し、該測距光毎の測距結果と方向角検出結果に基づき３次元の点群データを取得し、該３次元の点群データと前記図面データとに共通した点の測定結果を基に前記３次元の点群データを前記図面データとマッチングさせ、該図面データ上で指定された測設点に対して前記レーザポインタ光を照射させる様構成されたレーザスキャナ。
【請求項２】
前記レーザポインタ光は前記測距光と同軸であり、前記望遠鏡部は鉛直回転され、前記制御演算部は前記測距光の光軸が前記測設点と一致した時に前記レーザポインタ光が照射される様前記ポインタ光発光部を制御する請求項１に記載のレーザスキャナ。
【請求項３】
前記レーザポインタ光は前記測距光と同軸であり、前記望遠鏡部は上下方向に揺動され、前記制御演算部は前記測距光の光軸が前記測設点と一致した時に前記レーザポインタ光が照射される様前記ポインタ光発光部を制御する請求項１に記載のレーザスキャナ。
【請求項４】
前記制御演算部は、前記測距光の照射による前記３次元の点群データの取得と、前記測距光の光軸が前記測設点と一致した時の前記レーザポインタ光の照射を同時に実行する請求項２又は請求項３に記載のレーザスキャナ。
【請求項５】
前記レーザポインタ光、前記測距光と同軸な撮像光軸上に設けられた撮像部を更に具備し、該撮像部により前記レーザポインタ光の照射点を含む背景画像を取得可能とした請求項２〜請求項４のうちいずれか１項に記載のレーザスキャナ。
【発明の詳細な説明】
【技術分野】
【０００１】
本発明は、測距光を回転照射し、３次元の点群データを取得するレーザスキャナに関するものである。
【背景技術】
【０００２】
従来より、短時間に測定対象物の多数の３次元データ（３Ｄデータ、３次元点群データ）を取得する為の測量装置として、３次元レーザスキャナが知られている。
【０００３】
３次元レーザスキャナは三脚上に設置され、走査部を介してパルス光を回転照射し、測定対象物を走査して、パルス光毎に測距、測角を行うことで、測定対象物の３次元データを取得している。
【０００４】
然し乍ら、３次元レーザスキャナは、走査部を高速で回転させながらパルス光を回転照射する構成である為、測設点の指示等、特定の１点を指し示すことは困難である。
【０００５】
従って、３次元点群データを取得し、測定対象物の形状を測定すると共に、測設作業を行う場合には、３次元レーザスキャナの他に、レーザポインタ光を照射して測設点を指示するトータルステーション等の測量装置が必要であった。
【先行技術文献】
【特許文献】
【０００６】
【特許文献１】特開２０１５−１２５０９９号公報
【発明の概要】
【発明が解決しようとする課題】
【０００７】
本発明は、３次元の点群データ取得の測定作業と測設作業とを共に実行可能なレーザスキャナを提供するものである。
【課題を解決するための手段】
【０００８】
本発明は、測距光を射出する測距発光部と、反射測距光の受光結果に基づき測距を行う測距部と、前記測距光と既知の関係でレーザポインタ光を照射するポインタ光発光部と、前記測距光の射出方向を検出する測角部と、前記測距発光部、前記測距部、前記ポインタ光発光部を含み水平方向、鉛直方向に回転可能な望遠鏡部、該望遠鏡部を回転させる回転駆動部と、既知の座標系を有する図面データが格納された記憶部を有する制御演算部とを具備し、該制御演算部は、前記測距光を所要の範囲で回転照射し、該測距光毎の測距結果と方向角検出結果に基づき３次元の点群データを取得し、該３次元の点群データと前記図面データとに共通した点の測定結果を基に前記３次元の点群データを前記図面データとマッチングさせ、該図面データ上で指定された測設点に対して前記レーザポインタ光を照射させる様構成されたレーザスキャナに係るものである。
【０００９】
又本発明は、前記レーザポインタ光は前記測距光と同軸であり、前記望遠鏡部は鉛直回転され、前記制御演算部は前記測距光の光軸が前記測設点と一致した時に前記レーザポインタ光が照射される様前記ポインタ光発光部を制御するレーザスキャナに係るものである。
【００１０】
又本発明は、前記レーザポインタ光は前記測距光と同軸であり、前記望遠鏡部は上下方向に揺動され、前記制御演算部は前記測距光の光軸が前記測設点と一致した時に前記レーザポインタ光が照射される様前記ポインタ光発光部を制御するレーザスキャナに係るものである。
【００１１】
又本発明は、前記制御演算部は、前記測距光の照射による前記３次元の点群データの取得と、前記測距光の光軸が前記測設点と一致した時の前記レーザポインタ光の照射を同時に実行するレーザスキャナに係るものである。
【００１２】
更に又本発明は、前記レーザポインタ光、前記測距光と同軸な撮像光軸上に設けられた撮像部を更に具備し、該撮像部により前記レーザポインタ光の照射点を含む背景画像を取得可能としたレーザスキャナに係るものである。
【発明の効果】
【００１３】
本発明によれば、測距光を射出する測距発光部と、反射測距光の受光結果に基づき測距を行う測距部と、前記測距光と既知の関係でレーザポインタ光を照射するポインタ光発光部と、前記測距光の射出方向を検出する測角部と、前記測距発光部、前記測距部、前記ポインタ光発光部を含み水平方向、鉛直方向に回転可能な望遠鏡部、該望遠鏡部を回転させる回転駆動部と、既知の座標系を有する図面データが格納された記憶部を有する制御演算部とを具備し、該制御演算部は、前記測距光を所要の範囲で回転照射し、該測距光毎の測距結果と方向角検出結果に基づき３次元の点群データを取得し、該３次元の点群データと前記図面データとに共通した点の測定結果を基に前記３次元の点群データを前記図面データとマッチングさせ、該図面データ上で指定された測設点に対して前記レーザポインタ光を照射させる様構成されたので、測定作業と測設作業の両方を行うことができ、汎用性及び作業性の向上を図ることができるという優れた効果を発揮する。
【図面の簡単な説明】
【００１４】
【図１】本発明の第１の実施例に係るレーザスキャナの概略図である。
【図２】該レーザスキャナの概略構成図である。
【図３】該レーザスキャナに於ける望遠鏡部の光学系を示す構成図である。
【図４】本発明の第１の実施例に係る測設点の指示処理を説明するフローチャートである。
【図５】本発明の第２の実施例に係る望遠鏡部の光学系を示す構成図である。
【発明を実施するための形態】
【００１５】
以下、図面を参照しつつ本発明の実施例を説明する。
【００１６】
先ず、図１により、本発明の第１の実施例に係るレーザスキャナ１の概略について説明する。
【００１７】
所定の位置に三脚２を設置し、該三脚２に整準部３が設けられ、該整準部３に基盤部４が設けられている。該基盤部４に水平回転駆動部５が収納されている。該水平回転駆動部５は鉛直に延びる水平回転軸６を有し、該水平回転軸６の上端に水平回転部である托架部７が取付けられている。
【００１８】
該托架部７は凹部８を有し、該凹部８には鉛直回転部である望遠鏡部９が収納されている。該望遠鏡部９は鉛直回転軸１０を介して、前記托架部７に回転自在に支持されている。前記望遠鏡部９には、測距光軸を有する望遠鏡（レンズユニット）１１が設けられ、又前記望遠鏡部９には測距部１６（図２参照）等が収納されている。
【００１９】
前記托架部７には鉛直回転駆動部１２が収納され、該鉛直回転駆動部１２は水平軸心を有する前記鉛直回転軸１０に連結されている。前記鉛直回転駆動部１２によって前記望遠鏡部９が鉛直方向に全周回転される様になっている。前記鉛直回転軸１０には鉛直角検出器１３が設けられ、該鉛直角検出器１３により前記鉛直回転軸１０の回転角が検出され、更に該鉛直回転軸１０の鉛直角が検出される様になっている。又、前記托架部７には制御演算部１７が収納されている。
【００２０】
前記水平回転駆動部５は、鉛直軸心を有する前記水平回転軸６に連結され、前記托架部７は前記水平回転駆動部５によって水平方向に全周回転される様になっている。又、前記水平回転軸６には水平角検出器１４が設けられ、該水平角検出器１４により前記托架部７の回転角が検出され、更に該托架部７の水平角が検出される様になっている。前記鉛直角検出器１３、前記水平角検出器１４によって、方向角検出器が構成される。
【００２１】
而して、前記水平回転駆動部５、前記鉛直回転駆動部１２が構成する回転駆動部により、前記望遠鏡部９が鉛直、水平の２方向に所要の状態で回転される。又、前記鉛直角検出器１３、前記水平角検出器１４によって、鉛直角、水平角がリアルタイムで検出される。
【００２２】
次に、図２に於いて、前記レーザスキャナ１の構成の概略を説明する。
【００２３】
図２中、１７は制御演算部、１８は測角部、１９は記憶部、２１は操作部、２２は表示部を示している。
【００２４】
前記望遠鏡部９には、前記望遠鏡１１、測距発光部２４、反射測距光２５を受光する前記測距部１６、レーザポインタ光２６を発するポインタ光発光部２７を有している。前記測距発光部２４は測距光軸上に測距光（パルスレーザ光線）２３を発し、前記望遠鏡１１を介して照射される。又、前記ポインタ光発光部２７は測距光軸上に前記レーザポインタ光２６を発し、前記望遠鏡１１を介して照射される。
【００２５】
前記測距発光部２４は、前記制御演算部１７により発光が制御され、前記測距光２３を発光する。前記測距部１６は、測定点或は測定対象物から反射された前記反射測距光２５を受光した際の受光信号に基づき、１パルス毎にパルス光の往復時間を求めて測定点の測距を行う（Ｔｉｍｅ  Ｏｆ  Ｆｌｉｇｈｔ）。又、前記測距部１６は、測定対象物を再帰反射体（例えばプリズム）としたプリズム測定、或は測定対象物を自然物としたノンプリズム測定が可能となっている。又、前記ポインタ光発光部２７は、例えば所定のタイミングで前記レーザポインタ光２６をパルス発光する。
【００２６】
前記鉛直角検出器１３からの鉛直角検出信号は前記測角部１８に入力され、該測角部１８は鉛直角検出信号に基づき前記鉛直回転軸１０の鉛直角を演算する。又、前記水平角検出器１４からの水平角検出信号は前記測角部１８に入力され、該測角部１８は水平角検出信号に基づき前記托架部７の水平角を演算する。前記測距光２３による測距毎に鉛直角、水平角が求められ、鉛直角、水平角によって、前記レーザスキャナ１を基準とした各測定点毎の方向角が求められる。
【００２７】
前記制御演算部１７は、前記鉛直回転駆動部１２により前記望遠鏡部９を所定の速度で且つ高速回転で、鉛直方向に全周回転させる。又、前記制御演算部１７は、前記水平回転駆動部５により前記望遠鏡部９の鉛直回転に同期させ、前記托架部７を所定の速度で水平回転させる。鉛直回転と水平回転との協働により、所要範囲のレーザスキャンが実行され、所要範囲の３次元の点群データが取得できる。更に、前記制御演算部１７は、スキャン速度及びパルス発光の繰返し周波数を設定することで、測定ピッチ（測定点間の間隔）を設定できると共に、前記ポインタ光発光部２７による前記レーザポインタ光２６の発光のタイミングを設定できる。
【００２８】
前記記憶部１９には、前記レーザスキャナ１を作動させる為の各種プログラムが格納されている。例えば、測距、測角を実行する為の測定プログラム、前記水平回転駆動部５、前記鉛直回転駆動部１２の駆動を制御する為の駆動制御プログラム、前記測距発光部２４による前記測距光２３の発光を制御する為の測距光制御プログラム、前記ポインタ光発光部２７による前記レーザポインタ光２６の発光を制御する為のレーザポインタ光制御プログラム、測定ピッチを設定する測定ピッチ設定プログラム、前記レーザポインタ光２６の発光のタイミングを設定するタイミング設定プログラム、測定結果と設計図面データとをマッチングさせるマッチングプログラム、前記表示部２２に各種情報を表示させる為の表示プログラム等が格納されている。
【００２９】
又、前記記憶部１９には、測定データ、絶対座標等既知の座標系を有する設計図面データ（以下図面データ）等の各種データを格納する為のデータ格納領域が設けられている。
【００３０】
前記操作部２１からは、測定範囲、測定密度等の測定条件が入力され、測設点の位置データ（例えば３次元データ）が前記制御演算部１７に入力され、或は測定開始、測定停止等の指令が入力される。尚、測設点の位置データについては、図面データに基づき予め設定し、図面データと共に前記記憶部１９に記憶させてもよい。
【００３１】
前記表示部２２には、測定範囲等の測定条件、測定状態が表示され、或は測定結果等が表示される。
【００３２】
次に、図３に於いて、前記望遠鏡部９の光学系について説明する。
【００３３】
前述した様に、前記望遠鏡部９には、前記レンズユニット（望遠鏡）１１、前記測距発光部２４、前記測距部１６、前記ポインタ光発光部２７、内部参照光路２８等が収納されている。
【００３４】
前記測距発光部２４は、発光部２９と、ハーフミラーやビームスプリッタ等の光路分割部材３１と、第１ビームスプリッタ３２とを有している。前記発光部２９は、例えば半導体レーザ等であり、前記測距光２３として測距光軸上に不可視光である赤外光のレーザ光線を発する。
【００３５】
又、前記光路分割部材３１は、前記測距光２３の一部を反射し、内部参照光３３として前記内部参照光路２８へと導く様になっている。更に、前記第１ビームスプリッタ３２は、不可視光の前記測距光２３を反射し、可視光の前記レーザポインタ光２６を透過する光学特性を有している。前記測距発光部２４は、所要の光強度、所要のパルス間隔等、所要の状態で前記測距光２３を発光する様、前記制御演算部１７に制御される。
【００３６】
又、前記測距部１６は、第２ビームスプリッタ３４と、光路結合部３５と、受光素子３６とを有している。前記第２ビームスプリッタ３４は、例えばハーフミラーであり、可視光の前記レーザポインタ光２６と不可視光の前記測距光２３の一部を反射し、前記反射測距光２５の一部を透過させる光学特性を有している。前記光路結合部３５は、前記第２ビームスプリッタ３４を透過した前記反射測距光２５と、前記内部参照光路２８を通過した前記内部参照光３３とを結合させ、前記受光素子３６に受光させる様になっている。
【００３７】
該受光素子３６は、受光した前記反射測距光２５と、前記内部参照光３３とを、反射光受光信号と内部光受光信号へと変換し、前記制御演算部１７へと送出す様になっている。該制御演算部１７は、前記測距光２３毎に反射光受光信号と内部光受光信号との受光時間差を求め、前記内部参照光３３と前記反射測距光２５との受光時間差に基づき測距光照射点（測定点）迄の距離を測定する様になっている。
【００３８】
前記ポインタ光発光部２７は、例えば発光ダイオード（ＬＥＤ）であり、可視光の前記レーザポインタ光２６を発する。前記制御演算部１７は、前記水平回転駆動部５の駆動、前記鉛直回転駆動部１２の駆動、前記鉛直角検出器１３と前記水平角検出器１４の検出結果に基づき、前記レーザポインタ光２６の発光のタイミングを制御する様になっている。
【００３９】
測定作業を行う際に、前記発光部２９より前記測距光２３が射出されると、該測距光２３の一部（大部分）は前記光路分割部材３１を透過し、前記第１ビームスプリッタ３２に入射する。前記測距光２３の残部は前記内部参照光３３として前記光路分割部材３１により反射され、前記内部参照光路２８を介して前記測距部１６へと導かれる。
【００４０】
前記第１ビームスプリッタ３２で反射された前記測距光２３は、前記第２ビームスプリッタ３４に入射し、該第２ビームスプリッタ３４により前記測距光２３の一部が反射され、投光レンズ等のレンズ群から構成された前記レンズユニット１１へと導かれる。尚、前記第１ビームスプリッタ３２、前記第２ビームスプリッタ３４を透過した前記測距光２３は、図示しない反射防止部材により吸収される。
【００４１】
前記レンズユニット１１により平行光束とされた前記測距光２３は、図示しない測定範囲或は測定対象物へと照射される。又、前記望遠鏡部９が前記鉛直回転軸１０を中心に回転されることで、前記測距光２３は鉛直面内に回転照射される。又、前記水平回転駆動部５が前記托架部７を水平方向に回転させることで、前記測距光２３は前記水平回転軸６を中心に水平方向に回転照射される。従って、前記望遠鏡部９の鉛直方向の回転と、前記托架部７の水平方向の回転の協働により、測定範囲の所定範囲或は全域を前記測距光２３により走査できる。
【００４２】
該測距光２３は、前記測定範囲内に走査され、該測定範囲内に存在する測定対象物により反射される。前記反射測距光２５は、前記レンズユニット１１へ入射し、前記第２ビームスプリッタ３４を一部が透過し、前記測距部１６へと導かれる。
【００４３】
前記第２ビームスプリッタ３４を透過した前記反射測距光２５は、前記光路結合部３５を経て、前記受光素子３６に受光される。又、前記内部参照光路２８を経た前記内部参照光３３が、前記光路結合部３５を介して前記受光素子３６で受光される。
【００４４】
前記制御演算部１７は、反射光受光信号と、内部光受光信号との受光時間差に基づき、測距光照射点（測定点）迄の距離を測定する。又、測定点迄の距離と、前記測距光２３毎の前記鉛直角検出器１３により検出された鉛直角と、前記水平角検出器１４により検出された水平角とに基づき、前記制御演算部１７が測定点の３次元座標を演算する。前記測距光２３毎に測定点の３次元座標値が記録されることで、測定範囲の全域に関する、或は測定対象物に対する３次元の点群データを得ることができる。
【００４５】
又、前記ポインタ光発光部２７から発せられた前記レーザポインタ光２６は、前記第１ビームスプリッタ３２を透過し、前記第２ビームスプリッタ３４に反射される。これにより、前記レーザポインタ光２６の光軸は前記測距光２３の光軸と合致し、前記レーザポインタ光２６は前記測距光２３と同軸で照射される。更に、前記レーザポインタ光２６は、前記望遠鏡部９の鉛直方向の回転、前記托架部７の水平方向の回転の協働により、前記測定範囲の全域の任意の位置に照射される。
【００４６】
測定作業終了後、測設作業を行う為には、指定した測設点を前記レーザポインタ光２６により照射し続け、作業者に測設点を指示する必要がある。
【００４７】
次に、図４のフローチャートを用い、前記レーザスキャナ１を用いた３次元の点群データの取得、測設点の指示処理について説明する。
【００４８】
ＳＴＥＰ：０１  先ず、前記レーザスキャナ１を任意の位置に設置、前記整準部３により整準を行う。
【００４９】
ＳＴＥＰ：０２  次に、前記水平回転駆動部５により前記托架部７を水平回転させ、前記鉛直回転駆動部１２により前記望遠鏡部９を鉛直回転させ、前記レーザスキャナ１により測定範囲を走査し、測定対象物の３次元の点群データを取得する。
【００５０】
ＳＴＥＰ：０３  ３次元の点群データが取得されると、前記制御演算部１７は、測定結果の中から既知の点に設けられたプリズム、或は配管のボルト孔等の既知の座標を有する測定点等を選択し、既知点の測定結果を基に測定対象物に対する前記レーザスキャナ１の設置位置を既知化する。又、既知点の測定結果を基に図面データの座標系（図面座標系）に於ける前記レーザスキャナ１の位置を演算する。
【００５１】
尚、該レーザスキャナ１が直交する２の壁面に近接して設けられている場合は、前記レーザスキャナ１を水平方向に全周回転させて壁面を走査し、該レーザスキャナ１と各壁面との距離をそれぞれ求め、該距離を基に図面座標系に於ける前記レーザスキャナ１の位置を演算してもよい。又、該レーザスキャナ１を既知の座標を有する基準点に設置する場合には、ＳＴＥＰ：０３の工程は省略することができる。
【００５２】
ＳＴＥＰ：０４  前記制御演算部１７は、前記レーザスキャナ１の図面座標系に於ける位置に基づき、点群データを図面データとマッチングさせ、点群データの座標を図面座標系へと変換する。
【００５３】
ＳＴＥＰ：０５  図面データを基に所定の測設点が指定されると、前記制御演算部１７は、測設点の図面座標系の座標を点群データの座標系に座標変換する。前記制御演算部１７は、前記水平回転駆動部５を駆動し、前記托架部７を水平回転させ前記望遠鏡部９を指示された測設点へと向ける。該望遠鏡部９の水平方向が前記測設点と一致すると、前記水平回転駆動部５を停止し、停止状態を維持する。次に、前記制御演算部１７は、前記鉛直回転駆動部１２を駆動させ、前記望遠鏡部９を高速で鉛直回転させると共に、前記ポインタ光発光部２７に前記レーザポインタ光２６をパルス発光させる。尚、この場合の回転速度は、前記レーザポインタ光２６を視認した場合に残像が維持される程度以上とするのが好ましい。
【００５４】
ここで、前記望遠鏡部９を鉛直回転させた際の該望遠鏡部９の鉛直角は、前記鉛直角検出器１３により常時検出されている。前記制御演算部１７は、前記鉛直角検出器１３の検出結果に基づき、測距光軸と測設点の座標とが一致した時に前記レーザポインタ光２６が照射される様、前記ポインタ光発光部２７による前記レーザポインタ光２６の発光のタイミングを制御する。
【００５５】
従って、前記レーザポインタ光２６は、指定された測設点に対してのみ照射される。更に、前記望遠鏡部９が高速で鉛直回転されるので、前記レーザポインタ光２６は測設点を連続的に照射している様に認識される。
【００５６】
上述の様に、本実施例では、前記レーザスキャナ１により、前記レーザポインタ光２６を測設点に対して連続的に照射し、作業者に測設点を指示することで、前記レーザスキャナ１を用いての測設（レイアウト）作業を行うことが可能となる。
【００５７】
更に、点群データの取得と測設点の指示とを同時に行うことも可能である。この場合、点群データを取得しつつ、測距光軸が測設点の座標と一致した時に前記レーザポインタ光２６を発光させる。
【００５８】
従って、前記レーザスキャナ１単体で、測定作業と測設作業の両方を行うことができるので、該レーザスキャナ１の汎用性を高めることができ、作業性を向上させることができる。
【００５９】
又、測設点に前記レーザポインタ光２６を照射する為、前記レーザスキャナ１を測設点指示装置として使用すれば、トータルステーション等の測量装置を別途設ける必要がなく、作業コストを低減させることができる。
【００６０】
更に、前記レーザスキャナ１単体で測定作業と測設作業が行えることで、トータルステーションと前記レーザスキャナ１とを併用した時の様に、トータルステーションの座標系と前記レーザスキャナ１の座標系とのマッチングが不要となるので、処理時間の短縮、作業性の向上を図ることができる。
【００６１】
尚、本実施例では、測設点に前記レーザポインタ光２６を照射する際に、前記望遠鏡部９を高速で鉛直回転させているが、該望遠鏡部９を上下方向に揺動させる様にしてもよい。該望遠鏡部９を上下方向に揺動させる場合も、鉛直回転させる場合と同様、前記制御演算部１７により前記測距光２３の光軸が測設点の座標と一致した時に前記レーザポインタ光２６を照射する様前記ポインタ光発光部２７の発光が制御される。
【００６２】
又、本実施例では、前記ポインタ光発光部２７を設け、不可視光の前記測距光２３と同軸で可視光の前記レーザポインタ光２６を照射しているが、前記測距光２３を可視光とする場合には、該測距光２３を測設点を指定するレーザポインタ光として使用できるので、前記ポインタ光発光部２７は省略することができる。
【００６３】
又、前記測距光２３の光軸と前記レーザポインタ光２６の光軸との間の距離Ｄが既知である場合には、前記測距光２３と前記レーザポインタ光２６とは同軸でなくてもよい。この場合、図面座標系から点群データの座標系に変換する際に、距離Ｄだけ測距光軸を変更させる。
【００６４】
次に、図５に於いて、本発明の第２の実施例について説明する。尚、図５中、図３中と同等のものには同符号を付し、その説明を省略する。
【００６５】
第２の実施例では、第２ビームスプリッタ３４と光路結合部３５との間に第３ビームスプリッタ３７を設け、該第３ビームスプリッタ３７の反射光軸（撮像光軸）上に撮像部３８を設けている。即ち、撮像光軸は、測距光２３の光軸、レーザポインタ光２６の光軸と同軸となっている。又、前記第３ビームスプリッタ３７は、不可視光の前記測距光２３及び反射測距光２５のみを透過し、可視光の反射レーザポインタ光及び背景光を反射する。
【００６６】
前記撮像部３８は撮像素子３９を有している。該撮像素子３９はデジタル画像信号を出力するものであり、例えばＣＣＤやＣＭＯＳセンサ等、画素（ピクセル）の集合体で構成されたものであり、各画素は、前記撮像素子３９内での位置が特定できる様になっている。
【００６７】
ポインタ光発光部２７から照射された前記レーザポインタ光２６は、測定範囲或は測定対象物で反射され、反射レーザポインタ光は背景光と共にレンズユニット１１へ入射し、前記第２ビームスプリッタ３４を一部が透過し、前記第３ビームスプリッタ３７により反射され、前記撮像素子３９に受光される。該撮像素子３９から出力されるデジタル画像信号により、前記レーザポインタ光２６の照射点を含む２次元の背景画像が取得される。
【００６８】
従って、前記レーザポインタ光２６の照射位置を画像上で認識することができるので、測設点の位置確認、測設点の指定を視覚的に容易に行うことができる。
【００６９】
尚、第１の実施例、第２の実施例では、レーザスキャナ１は測距光２３をパルス光とし、ＴＯＦ方式で測距を行ったが、前記レーザスキャナ１の前記測距光２３を変調した連続光とし、射出光と反射光との位相差を求め、該位相差に基づき距離測定を行う様にしてもよい。
【符号の説明】
【００７０】
１              レーザスキャナ
５              水平回転駆動部
７              托架部
９              望遠鏡部
１２            鉛直回転駆動部
１３            鉛直角検出器
１４            水平角検出器
１６            測距部
１７            制御演算部
１９            記憶部
２３            測距光
２４            測距発光部
２５            反射測距光
２６            レーザポインタ光
２７            ポインタ光発光部
３８            撮像部
【図１】
0006680628.tif 000002
【図２】
0006680628.tif 000003
【図３】
0006680628.tif 000004
【図４】
0006680628.tif 000005
【図５】
0006680628.tif 000006